(57)【特許請求の範囲】
【請求項１】
液晶表示パネルと、液晶表示パネルの背面を照射するバックライト光を発生するバックライトとを備え、複数色それぞれの画像入力信号及び設定されたゲイン値に基づいて生成する液晶駆動出力信号により液晶表示パネルを駆動してカラー表示を行う液晶表示装置の経年変化補償方法において、
相異なる２つの時期に、前記バックライト光の輝度及び前記バックライト光に含まれる前記複数色のうち少なくとも一色の輝度を測定する第１過程と、
前記相異なる２つの時期の輝度測定値から色輝度成分の変化率を求める第２過程と、
前記ゲイン値を補正するためのゲイン補正係数を前記色輝度成分の変化率から求める第３過程と、
前記ゲイン補正係数によりゲイン値を補正して得られる補正ゲイン値を用いて液晶駆動出力信号を生成する第４過程と
を備えることを特徴とする液晶表示装置の経年変化補償方法。
【請求項２】
前記色輝度成分の変化率は、相異なる時期に測定される前記バックライト光の輝度に対する前記一色の輝度の比を第１色輝度成分比及び第２色輝度成分比として求め、第１色輝度成分比と第２色輝度成分比との差から求めることを特徴とする請求項１記載の液晶表示装置の経年変化補償方法。
【請求項３】
前記色輝度成分の変化率と前記液晶表示パネルを透過したバックライト光が含む色の輝度への寄与率とから透過光輝度変化率を求める第５過程と、
前記透過光輝度変化率からバックライト光の目標輝度を求める第６過程と、
バックライト光の輝度が前記目標輝度となるようにバックライト駆動信号を制御する第７過程と
を備えることを特徴とする請求項１又は２記載の液晶表示装置の経年変化補償方法。
【請求項４】
前記透過光輝度変化率は、前記色輝度成分の変化率に前記液晶表示パネルを透過したバックライト光が含む色の輝度への寄与率を乗じて求めることを特徴とする請求項３記載の液晶表示装置の経年変化補償方法。
【請求項５】
液晶表示パネルと、液晶表示パネルの背面を照射するバックライト光を発生するバックライトとを備え、複数色それぞれの画像入力信号及び設定されたゲイン値に基づいて生成する液晶駆動出力信号により液晶表示パネルを駆動してカラー表示を行う液晶表示装置の経年変化補償方法において、
相異なる２つの時期に、前記バックライト光の輝度及び前記バックライト光に含まれる前記複数色それぞれの輝度を測定する第１過程と、
前記複数色それぞれについて、前記相異なる２つの時期の輝度測定値から色輝度成分の変化率を求める第２過程と、
前記複数色それぞれについて、前記ゲイン値を補正するためのゲイン補正係数を前記色輝度成分の変化率から求める第３過程と、
前記ゲイン補正係数によりゲイン値を補正して得られる補正ゲイン値を用いて液晶駆動出力信号を生成する第４過程と
を備えることを特徴とする液晶表示装置の経年変化補償方法。
【請求項６】
前記色輝度成分の変化率は、相異なる時期に測定される前記バックライト光の輝度に対する前記複数色それぞれの輝度の比を第１色輝度成分比及び第２色輝度成分比として求め、前記複数色それぞれについて、第１色輝度成分比と第２色輝度成分比との差から求めることを特徴とする請求項５記載の液晶表示装置の経年変化補償方法。
【請求項７】
前記色輝度成分の変化率は、第１色輝度成分比と第２色輝度成分比との差を第１色輝度成分比により除算することにより算出することを特徴とする請求項６記載の液晶表示装置の経年変化補償方法。
【請求項８】
前記ゲイン値の補正はゲイン値にゲイン補正係数を乗算して行うことを特徴とする請求項５ないし７のいずれかに記載の液晶表示装置の経年変化補償方法。
【請求項９】
前記複数色それぞれについて、前記色輝度成分の変化率と前記液晶表示パネルを透過したバックライト光が含む色の輝度への寄与率とから透過光輝度変化率を求める第５過程と、
前記透過光輝度変化率からバックライト光の目標輝度を求める第６過程と、
バックライト光の輝度が目標輝度となるようにバックライト駆動信号を制御する第７過程と
を備えることを特徴とする請求項５ないし８のいずれかに記載の液晶表示装置の経年変化補償方法。
【請求項１０】
前記透過光輝度変化率は、前記複数色それぞれについて、前記色輝度成分の変化率に前記液晶表示パネルを透過したバックライト光が含む色の輝度への寄与率を乗じて色輝度変化率を求め、該色輝度変化率の和から求めることを特徴とする請求項９記載の液晶表示装置の経年変化補償方法。
【請求項１１】
前記寄与率は設定可能としてあることを特徴とする請求項９又は１０記載の液晶表示装置の経年変化補償方法。
【請求項１２】
液晶表示パネルと、液晶表示パネルの背面を照射するバックライト光を発生するバックライトとを備え、複数色それぞれの画像入力信号及び設定されたゲイン値に基づいて生成する液晶駆動出力信号により液晶表示パネルを駆動してカラー表示を行う液晶表示装置の経年変化補償方法において、
相異なる２つの時期に、前記バックライト光の輝度及び前記バックライト光に含まれる前記複数色のうちから選定した一色の輝度を測定する第１過程と、
前記一色について、前記相異なる２つの時期の輝度測定値から一色輝度成分の変化率を求める第２過程と、
前記複数色のうち前記一色以外の色について、前記一色輝度成分の変化率に対して予め求めてある割合を適用して、色輝度成分の変化率を求める第３過程と、
前記一色以外の色について、前記ゲイン値を補正するためのゲイン補正係数を前記色輝度成分の変化率から求める第４過程と、
前記ゲイン補正係数によりゲイン値を補正して得られる補正ゲイン値を用いて液晶駆動出力信号を生成する第５過程と
を備えることを特徴とする液晶表示装置の経年変化補償方法。
【請求項１３】
前記一色輝度成分の変化率は、相異なる時期に測定される前記バックライト光の輝度に対する前記一色の輝度の比を第１色輝度成分比及び第２色輝度成分比として求め、第１色輝度成分比と第２色輝度成分比との差から求めることを特徴とする請求項１２記載の液晶表示装置の経年変化補償方法。
【請求項１４】
前記一色輝度成分の変化率は、第１色輝度成分比と第２色輝度成分比との差を第１色輝度成分比により除算して算出することを特徴とする請求項１３記載の液晶表示装置の経年変化補償方法。
【請求項１５】
前記一色は、前記複数色の中で最も経年変化が大きい色であることを特徴とする請求項１２ないし１４のいずれかに記載の液晶表示装置の経年変化補償方法。
【請求項１６】
前記色輝度成分の変化率は、前記一色輝度成分の変化率に対して前記割合を乗算することにより算出することを特徴とする請求項１２ないし１５のいずれかに記載の液晶表示装置の経年変化補償方法。
【請求項１７】
前記ゲイン値の補正はゲイン値にゲイン補正係数を乗算して行うことを特徴とする請求項１２ないし１６のいずれかに記載の液晶表示装置の経年変化補償方法。
【請求項１８】
前記一色以外の色について、色輝度成分の変化率と前記液晶表示パネルを透過したバックライト光が含む色の輝度への寄与率とから透過光輝度変化率を求める第６過程と、
前記透過光輝度変化率からバックライト光の目標輝度を求める第７過程と、
バックライト光の輝度が目標輝度となるようにバックライト駆動信号を制御する第８過程と
を備えることを特徴とする請求項１２ないし１７のいずれかに記載の液晶表示装置の経年変化補償方法。
【請求項１９】
前記透過光輝度変化率は、前記複数色それぞれについて、前記色輝度成分の変化率に前記液晶表示パネルを透過したバックライト光が含む色の輝度への寄与率を乗じて色輝度変化率を求め、該色輝度変化率の和から求めることを特徴とする請求項１８記載の液晶表示装置の経年変化補償方法。
【請求項２０】
前記寄与率は設定可能としてあることを特徴とする請求項１８又は１９記載の液晶表示装置の経年変化補償方法。
【請求項２１】
液晶表示パネルと、液晶表示パネルの背面を照射するバックライト光を発生するバックライトとを備え、複数色それぞれの画像入力信号及び設定されたゲイン値に基づいて生成する液晶駆動出力信号により液晶表示パネルを駆動してカラー表示を行う液晶表示装置の経年変化補償装置において、
前記バックライト光の輝度を測定する輝度センサと、
前記バックライト光に含まれる前記複数色のうち少なくとも一色の輝度を測定する色輝度センサと、
相異なる２つの時期の輝度測定値から色輝度成分の変化率を求め、前記ゲイン値を補正するためのゲイン補正係数を前記色輝度成分の変化率から求める第１演算手段と、
前記ゲイン補正係数によりゲイン値を補正して得られる補正ゲイン値を用いて液晶駆動出力信号を生成する液晶駆動手段と
を備えることを特徴とする液晶表示装置の経年変化補償装置。
【請求項２２】
前記色輝度成分の変化率は、前記バックライト光の輝度及び前記一色の輝度から前記バックライト光の輝度に対する前記一色の輝度の比を色輝度成分比として求め、第１時期での第１色輝度成分比と第１時期より後の第２時期での第２色輝度成分比との差から求めることを特徴とする請求項２１記載の液晶表示装置の経年変化補償装置。
【請求項２３】
前記色輝度成分の変化率と前記液晶表示パネルを透過したバックライト光が含む色の輝度への寄与率とから透過光輝度変化率を求め、該透過光輝度変化率からバックライト光の目標輝度を求める第２演算手段と、
バックライト光の輝度が前記目標輝度となるようにバックライト駆動信号を制御するバックライト駆動手段と
を備えることを特徴とする請求項２１又は２２記載の液晶表示装置の経年変化補償装置。
【請求項２４】
前記透過光輝度変化率は、前記色輝度成分の変化率に前記液晶表示パネルを透過したバックライト光が含む色の輝度への寄与率を乗じて求めることを特徴とする請求項２３記載の液晶表示装置の経年変化補償装置。
【請求項２５】
液晶表示パネルと、液晶表示パネルの背面を照射するバックライト光を発生するバックライトとを備え、複数色それぞれの画像入力信号及び設定されたゲイン値に基づいて生成する液晶駆動出力信号により液晶表示パネルを駆動してカラー表示を行う液晶表示装置の経年変化補償をコンピュータに実行させるためのコンピュータプログラムにおいて、
コンピュータに、
相異なる２つの時期に、前記バックライト光の輝度及び前記バックライト光に含まれる前記複数色のうち少なくとも一色の輝度を測定する第１過程と、
相異なる２つの時期の輝度測定値から色輝度成分の変化率を求める第２過程と、
前記ゲイン値を補正するためのゲイン補正係数を前記色輝度成分の変化率から求める第３過程と、
前記ゲイン補正係数によりゲイン値を補正して得られる補正ゲイン値を用いて液晶駆動出力信号を生成する第４過程と
を実行させることを特徴とするコンピュータプログラム。
【請求項２６】
前記色輝度成分の変化率は、相異なる時期に測定される前記バックライト光の輝度に対する前記一色の輝度の比を第１色輝度成分比及び第２色輝度成分比として求め、前記第１色輝度成分比と第２色輝度成分比との差から求めることを特徴とする請求項２５記載のコンピュータプログラム。
【請求項２７】
コンピュータに、
前記色輝度成分の変化率と前記液晶表示パネルを透過したバックライト光が含む色の輝度への寄与率とから透過光輝度変化率を求める第５過程と、
前記透過光輝度変化率からバックライト光の目標輝度を求める第６過程と、
バックライト光の輝度が前記目標輝度となるようにバックライト駆動信号を制御する第７過程と
を実行させることを特徴とする請求項２５又は２６記載のコンピュータプログラム。
【請求項２８】
前記透過光輝度変化率は、前記色輝度成分の変化率に前記液晶表示パネルを透過したバックライト光が含む色の輝度への寄与率を乗じて求めることを特徴とする請求項２７記載のコンピュータプログラム。
【請求項２９】
液晶表示パネルと、液晶表示パネルの背面を照射するバックライト光を発生するバックライトとを備え、複数色それぞれの画像入力信号及び設定されたゲイン値に基づいて生成する液晶駆動出力信号により液晶表示パネルを駆動してカラー表示を行う液晶表示装置において、
前記バックライト光の輝度を測定するバックライト光輝度センサと、
前記バックライト光に含まれる前記複数色のうち少なくとも一色の輝度を測定する色輝度センサと、
相異なる２つの時期の輝度測定値から色輝度成分の変化率を求め、前記ゲイン値を補正するためのゲイン補正係数を前記色輝度成分の変化率から求める第１演算手段と、
前記ゲイン補正係数によりゲイン値を補正して得られる補正ゲイン値を用いて液晶駆動出力信号を生成する液晶駆動手段と
を備えることを特徴とする液晶表示装置。
【請求項３０】
前記色輝度成分の変化率は、前記バックライト光の輝度及び前記一色の輝度から前記バックライト光の輝度に対する前記一色の輝度の比を色輝度成分比として求め、第１時期での第１色輝度成分比と第１時期より後の第２時期での第２色輝度成分比との差から求めることを特徴とする請求項２９記載の液晶表示装置。
【請求項３１】
前記色輝度成分の変化率と前記液晶表示パネルを透過したバックライト光が含む色の輝度への寄与率とから透過光輝度変化率を求め、該透過光輝度変化率からバックライト光の目標輝度を求める第２演算手段と、
バックライト光の輝度が前記目標輝度となるようにバックライト駆動信号を制御するバックライト駆動手段と
を備えることを特徴とする請求項２９又は３０記載の液晶表示装置。
【請求項３２】
前記透過光輝度変化率は、前記色輝度成分の変化率に前記液晶表示パネルを透過したバックライト光が含む色の輝度への寄与率を乗じて求めることを特徴とする請求項３１記載の液晶表示装置。
【発明の詳細な説明】
【技術分野】
【０００１】  本発明は、液晶表示装置の表示特性の経年変化を補償する液晶表示装置の経年変化補償方法、液晶表示装置の経年変化補償装置、コンピュータプログラム及び経年変化を補償する液晶表示装置に関する。
【背景技術】
【０００２】  図６は従来の液晶表示装置での調光方法を説明するための液晶表示装置の概略回路ブロックを示すブロック図である。図において、５１は液晶表示装置であり、複数色（通常は３原色としての赤（以下、Ｒと記すことがある）、緑（以下、Ｇと記すことがある）、青（以下、Ｂと記すことがある））それぞれに対応した信号として入力される画像入力信号Ｓｉｎに応じた液晶駆動出力信号Ｓｐｄにより駆動され、所望の表示画像Ｌｉｍを表示する液晶表示パネル５２、液晶表示パネル５２からの透過光（表示画像Ｌｉｍ）の光源としてのバックライト５３、各種の制御（演算・駆動）を行うためのマイクロコンピュータ５４、液晶駆動回路５５、バックライト駆動回路５６、輝度センサ（白色輝度センサ）５７により構成される。【０００３】  液晶表示装置５１のカラー表示は、液晶表示パネル５２の各ドットに対応させてＲ、Ｇ、Ｂで構成されるカラーフィルタ（不図示）を設け、液晶表示パネル５２のシャッタ機能によりバックライト５３からの光（バックライト光）の透過率を階調的に制御し、シャッタ機能により変調されたバックライト５３からの光がカラーフィルタを通過することにより実現している。【０００４】  液晶表示装置５１のバックライト５３の調光（発光量（輝度）の調整）は、次のようにしてなされる。つまり、バックライト５３からのバックライト光Ｌｂを測定できる位置に輝度センサ５７を設け、輝度センサ５７の検出値ＡＤｗをマイクロコンピュータ５４へ入力する。輝度センサ５７はアナログ量であるバックライト光Ｌｂを光電変換してアナログ量の電気信号に変換し、さらにＡＤ変換してデジタル値としての検出値ＡＤｗをマイクロコンピュータ４に入力している。マイクロコンピュータ５４は検出値ＡＤｗに基づいてバックライト５３を制御するための調光信号Ｓｂｃをバックライト駆動回路５６へ出力する。バックライト駆動回路５６は、調光信号Ｓｂｃに応じたバックライト駆動信号Ｓｂｄをバックライト５３へ供給してバックライト５３の発光量（輝度）を制御する。【０００５】  液晶表示装置５１の色調整（カラー調整）は、次のようにしてなされる。つまり、液晶表示装置５１の使用者（あるいは工場の製造段階での調整者）が、オン・スクリーン・ディスプレイ（ＯＳＤ）などを利用してＲ、Ｇ、Ｂそれぞれについてゲイン値Ｇｓ（Ｒのゲイン値Ｇｓｒ、Ｇのゲイン値Ｇｓｇ、Ｂのゲイン値Ｇｓｂ）を調整（設定）する。この調整結果（設定）に基づいてマイクロコンピュータ５４は、ゲイン値Ｇｓ（Ｇｓｒ、Ｇｓｇ、Ｇｓｂ）を液晶駆動回路５５へ出力する。液晶駆動回路５５はゲイン値Ｇｓに基づいて画像入力信号Ｓｉｎを液晶駆動出力信号Ｓｐｄに変換して出力することにより液晶表示パネル５２を駆動する。ゲイン値Ｇｓに基づいて変換された液晶駆動出力信号Ｓｐｄにより液晶表示パネル５２でのバックライト５３からの光の透過率をＲＧＢそれぞれについて制御することにより、カラー調整（輝度調整）された表示画像Ｌｉｍを表示することができる。【０００６】  このような従来の液晶表示パネル５２により表示される表示画像Ｌｉｍの表示特性、特にカラー表示特性（発光色特性）は、バックライト５３の経年変化（発光特性の劣化、発光色��変動）、バックライト５３からの紫外線による導光板、偏光板（不図示）などの変色（黄化）により変動するという問題がある。つまり、発光色の変動（変色）を補正するためには、液晶表示装置５１の使用者が、目視又は液晶表示パネル５２の外部に配置した輝度センサ（不図示）を用いて、ＲＧＢ各色のゲイン値Ｇｓを手動で再度調整する必要があった。【０００７】  なお、液晶表示装置の経年変化を補正するものとして、発光色が異なる３種類のバックライトと、３種類の光センサにより、バックライトの温度変化及び経年変化に対して、液晶パネルが表示する画像のホワイトバランスが常に設定値と等しくなるように動作させるものが知られている（特許文献１参照）。
【特許文献１】特開平１１−２９５６８９号公報
【発明の開示】
【発明が解決しようとする課題】
【０００８】  上述したように、従来の液晶表示装置での表示特性の経年変化を補償する方法としては、ユーザがマニュアル（手動）で調整するしかなく、液晶表示装置の表示特性の経年変化を補償することは、煩わしく、また困難が多いことから実用的ではないという問題があった。【０００９】  本発明は、斯かる問題に鑑みてなされたものであり、液晶表示装置の表示特性の経年変化（経時変化）を自動的に補償することが可能な液晶表示装置の経年変化補償方法、液晶表示装置の経年変化補償装置、液晶表示装置の経年変化補償方法をコンピュータに実行させるためのコンピュータプログラム及びそのような経年変化補償方法の実行が可能な液晶表示装置を提供することを目的とする。
【課題を解決するための手段】
【００１０】  本発明に係る液晶表示装置の経年変化補償方法は、液晶表示パネルと、液晶表示パネルの背面を照射するバックライト光を発生するバックライトとを備え、複数色それぞれの画像入力信号及び設定されたゲイン値に基づいて生成する液晶駆動出力信号により液晶表示パネルを駆動してカラー表示を行う液晶表示装置の経年変化補償方法において、相異なる２つの時期に、前記バックライト光の輝度及び前記バックライト光に含まれる前記複数色のうち少なくとも一色の輝度を測定する第１過程と、前記相異なる２つの時期の輝度測定値から色輝度成分の変化率を求める第２過程と、前記ゲイン値を補正するためのゲイン補正係数を前記色輝度成分の変化率から求める第３過程と、前記ゲイン補正係数によりゲイン値を補正して得られる補正ゲイン値を用いて液晶駆動出力信号を生成する第４過程とを備えることを特徴とする。また、前記色輝度成分の変化率は、相異なる時期に測定される前記バックライト光の輝度に対する前記一色の輝度の比を第１色輝度成分比及び第２色輝度成分比として求め、第１色輝度成分比と第２色輝度成分比との差から求めることを特徴とする。【００１１】  本発明に係る液晶表示装置の経年変化補償方法では、前記色輝度成分の変化率と前記液晶表示パネルを透過したバックライト光が含む色の輝度への寄与率とから透過光輝度変化率を求める第５過程と、前記透過光輝度変化率からバックライト光の目標輝度を求める第６過程と、バックライト光の輝度が前記目標輝度となるようにバックライト駆動信号を制御する第７過程とを備えることを特徴とする。また、前記透過光輝度変化率は、前記色輝度成分の変化率に前記液晶表示パネルを透過したバックライト光が含む色の輝度への寄与率を乗じて求めることを特徴とする。【００１２】  本発明に係る液晶表示装置の経年変化補償方法は、液晶表示パネルと、液晶表示パネルの背面を照射するバックライト光を発生するバックライトとを備え、複数色それぞれの画像入力信号及び設定されたゲイン値に基づいて生成する液晶駆動出力信号により液晶表示パネルを駆動してカラー表示を行う液晶表示装置の経年変化補償方法において、相異なる２つの時期に、前記バックライト光の輝度及び前記バックライト光に含まれる前記複数色それぞれの輝度を測定する第１過程と、前記複数色それぞれについて、前記相異なる２つの時期の輝度測定値から色輝度成分の変化率を求める第２過程と、前記複数色それぞれについて、前記ゲイン値を補正するためのゲイン補正係数を前記色輝度成分の変化率から求める第３過程と、前記ゲイン補正係数によりゲイン値を補正して得られる補正ゲイン値を用いて液晶駆動出力信号を生成する第４過程とを備えることを特徴とする。また、前記色輝度成分の変化率は、相異なる時期に測定される前記バックライト光の輝度に対する前記複数色それぞれの輝度の比を第１色輝度成分比及び第２色輝度成分比として求め、前記複数色それぞれについて、第１色輝度成分比と第２色輝度成分比との差から求めることを特徴とする。【００１３】  本発明に係る液晶表示装置の経年変化補償方法では、前記色輝度成分の変化率は、第１色輝度成分比と第２色輝度成分比との差を第１色輝度成分比により除算すること���より算出することを特徴とする。【００１４】  本発明に係る液晶表示装置の経年変化補償方法では、前記ゲイン値の補正はゲイン値にゲイン補正係数を乗算して行うことを特徴とする。【００１５】  本発明に係る液晶表示装置の経年変化補償方法では、前記複数色それぞれについて、前記色輝度成分の変化率と前記液晶表示パネルを透過したバックライト光が含む色の輝度への寄与率とから透過光輝度変化率を求める第５過程と、前記透過光輝度変化率からバックライト光の目標輝度を求める第６過程と、バックライト光の輝度が目標輝度となるようにバックライト駆動信号を制御する第７過程とを備えることを特徴とする。また、前記透過光輝度変化率は、前記複数色それぞれについて、前記色輝度成分の変化率に前記液晶表示パネルを透過したバックライト光が含む色の輝度への寄与率を乗じて色輝度変化率を求め、該色輝度変化率の和から求めることを特徴とする。【００１６】  本発明に係る液晶表示装置の経年変化補償方法では、前記寄与率は設定可能としてあることを特徴とする。【００１７】  本発明に係る液晶表示装置の経年変化補償方法は、液晶表示パネルと、液晶表示パネルの背面を照射するバックライト光を発生するバックライトとを備え、複数色それぞれの画像入力信号及び設定されたゲイン値に基づいて生成する液晶駆動出力信号により液晶表示パネルを駆動してカラー表示を行う液晶表示装置の経年変化補償方法において、相異なる２つの時期に、前記バックライト光の輝度及び前記バックライト光に含まれる前記複数色のうちから選定した一色の輝度を測定する第１過程と、前記一色について、前記相異なる２つの時期の輝度測定値から一色輝度成分の変化率を求める第２過程と、前記複数色のうち前記一色以外の色について、前記一色輝度成分の変化率に対して予め求めてある割合を適用して、色輝度成分の変化率を求める第３過程と、前記一色以外の色について、前記ゲイン値を補正するためのゲイン補正係数を前記色輝度成分の変化率から求める第４過程と、前記ゲイン補正係数によりゲイン値を補正して得られる補正ゲイン値を用いて液晶駆動出力信号を生成する第５過程とを備えることを特徴とする。また、前記一色輝度成分の変化率は、相異なる時期に測定される前記バックライト光の輝度に対する前記一色の輝度の比を第１色輝度成分比及び第２色輝度成分比として求め、第１色輝度成分比と第２色輝度成分比との差から求めることを特徴とする。【００１８】  本発明に係る液晶表示装置の経年変化補償方法では、前記一色輝度成分の変化率は、第１色輝度成分比と第２色輝度成分比との差を第１色輝度成分比により除算して算出することを特徴とする。【００１９】  本発明に係る液晶表示装置の経年変化補償方法では、前記一色は、前記複数色の中で最も経年変化が大きい色であることを特徴とする。【００２０】  本発明に係る液晶表示装置の経年変化補償方法では、前期色輝度成分の変化率は、前記一色輝度成分の変化率に対して前記割合を乗算することにより算出することを特徴とする。【００２１】  本発明に係る液晶表示装置の経年変化補償方法では、前記ゲイン値の補正はゲイン値にゲイン補正係数を乗算して行うことを特徴とする。【００２２】  本発明に係る液���表示装置の経年変化補償方法では、前記一色以外の色について、色輝度成分の変化率と前記液晶表示パネルを透過したバックライト光が含む色の輝度への寄与率とから透過光輝度変化率を求める第６過程と、前記透過光輝度変化率からバックライト光の目標輝度を求める第７過程と、バックライト光の輝度が目標輝度となるようにバックライト駆動信号を制御する第８過程とを備えることを特徴とする。また、前記透過光輝度変化率は、前記複数色それぞれについて、前記色輝度成分の変化率に前記液晶表示パネルを透過したバックライト光が含む色の輝度への寄与率を乗じて色輝度変化率を求め、該色輝度変化率の和から求めることを特徴とする。【００２３】  本発明に係る液晶表示装置の経年変化補償方法では、前記寄与率は設定可能としてあることを特徴とする。【００２４】  本発明に係る液晶表示装置の経年変化補償装置は、液晶表示パネルと、液晶表示パネルの背面を照射するバックライト光を発生するバックライトとを備え、複数色それぞれの画像入力信号及び設定されたゲイン値に基づいて生成する液晶駆動出力信号により液晶表示パネルを駆動してカラー表示を行う液晶表示装置の経年変化補償装置において、前記バックライト光の輝度を測定する輝度センサと、前記バックライト光に含まれる前記複数色のうち少なくとも一色の輝度を測定する色輝度センサと、相異なる２つの時期の輝度測定値から色輝度成分の変化率を求め、前記ゲイン値を補正するためのゲイン補正係数を前記色輝度成分の変化率から求める第１演算手段と、前記ゲイン補正係数によりゲイン値を補正して得られる補正ゲイン値を用いて液晶駆動出力信号を生成する液晶駆動手段とを備えることを特徴とする。また、前記色輝度成分の変化率は、前記バックライト光の輝度及び前記一色の輝度から前記バックライト光の輝度に対する前記一色の輝度の比を色輝度成分比として求め、第１時期での第１色輝度成分比と第１時期より後の第２時期での第２色輝度成分比との差から求めることを特徴とする。【００２５】  本発明に係る液晶表示装置の経年変化補償装置では、前記色輝度成分の変化率と前記液晶表示パネルを透過したバックライト光が含む色の輝度への寄与率とから透過光輝度変化率を求め、該透過光輝度変化率からバックライト光の目標輝度を求める第２演算手段と、バックライト光の輝度が前記目標輝度となるようにバックライト駆動信号を制御するバックライト駆動手段とを備えることを特徴とする。また、前記透過光輝度変化率は、前記色輝度成分の変化率に前記液晶表示パネルを透過したバックライト光が含む色の輝度への寄与率を乗じて求めることを特徴とする。【００２６】  本発明に係るコンピュータプログラムは、液晶表示パネルと、液晶表示パネルの背面を照射するバックライト光を発生するバックライトとを備え、複数色それぞれの画像入力信号及び設定されたゲイン値に基づいて生成する液晶駆動出力信号により液晶表示パネルを駆動してカラー表示を行う液晶表示装置の経年変化補償をコンピュータに実行させるためのコンピュータプログラムにおいて、コンピュータに、相異なる２つの時期に、前記バックライト光の輝度及び前記バックライト光に含まれる前記複数色のうち少なくとも一色の輝度��測定する第１過程と、相異なる２つの時期の輝度測定値から色輝度成分の変化率を求める第２過程と、前記ゲイン値を補正するためのゲイン補正係数を前記色輝度成分の変化率から求める第３過程と、前記ゲイン補正係数によりゲイン値を補正して得られる補正ゲイン値を用いて液晶駆動出力信号を生成する第４過程とを実行させることを特徴とする。また、前記色輝度成分の変化率は、相異なる時期に測定される前記バックライト光の輝度に対する前記一色の輝度の比を第１色輝度成分比及び第２色輝度成分比として求め、前記第１色輝度成分比と第２色輝度成分比との差から求めることを特徴とする。【００２７】  本発明に係るコンピュータプログラムでは、コンピュータに、前記色輝度成分の変化率と前記液晶表示パネルを透過したバックライト光が含む色の輝度への寄与率とから透過光輝度変化率を求める第５過程と、前記透過光輝度変化率からバックライト光の目標輝度を求める第６過程と、バックライト光の輝度が前記目標輝度となるようにバックライト駆動信号を制御する第７過程とを実行させることを特徴とする。また、前記透過光輝度変化率は、前記色輝度成分の変化率に前記液晶表示パネルを透過したバックライト光が含む色の輝度への寄与率を乗じて求めることを特徴とする。【００２８】  本発明に係る液晶表示装置は、液晶表示パネルと、液晶表示パネルの背面を照射するバックライト光を発生するバックライトとを備え、複数色それぞれの画像入力信号及び設定されたゲイン値に基づいて生成する液晶駆動出力信号により液晶表示パネルを駆動してカラー表示を行う液晶表示装置において、前記バックライト光の輝度を測定するバックライト光輝度センサと、前記バックライト光に含まれる前記複数色のうち少なくとも一色の輝度を測定する色輝度センサと、相異なる２つの時期の輝度測定値から色輝度成分の変化率を求め、前記ゲイン値を補正するためのゲイン補正係数を前記色輝度成分の変化率から求める第１演算手段と、前記ゲイン補正係数によりゲイン値を補正して得られる補正ゲイン値を用いて液晶駆動出力信号を生成する液晶駆動手段とを備えることを特徴とする。また、前記色輝度成分の変化率は、前記バックライト光の輝度及び前記一色の輝度から前記バックライト光の輝度に対する前記一色の輝度の比を色輝度成分比として求め、第１時期での第１色輝度成分比と第１時期より後の第２時期での第２色輝度成分比との差から求めることを特徴とする。【００２９】  本発明に係る液晶表示装置では、前記色輝度成分の変化率と前記液晶表示パネルを透過したバックライト光が含む色の輝度への寄与率とから透過光輝度変化率を求め、該透過光輝度変化率からバックライト光の目標輝度を求める第２演算手段と、バックライト光の輝度が前記目標輝度となるようにバックライト駆動信号を制御するバックライト駆動手段とを備えることを特徴とする。また、前記透過光輝度変化率は、前記色輝度成分の変化率に前記液晶表示パネルを透過したバックライト光が含む色の輝度への寄与率を乗じて求めることを特徴とする。【００３０】  本発明に係る液晶表示装置の経年変化補償方法、液晶表示装置の経年変化補償装置、コンピュータプログラム、及び液晶表示装置にあっては、異なる時期に、バックライト光（白色光）の輝度及びバックライト光に含まれる複数色（ＲＧＢ）のうち少なくとも一色の輝度を測定し、異なる時期の輝度測定値から色輝度成分の変化率を求め、色輝度成分の変化率を用いてゲイン値を補正するためのゲイン補正係数を求め、ゲイン値をゲイン補正係数により補正して得られる補正ゲイン値を用いて液晶駆動出力信号を生成するので、バックライト光のＲＧＢの相対比が変動（経年変化）した場合でも、ＲＧＢの相対比を当初のレベルに戻すこと、つまり、ホワイトバランスを戻すことが可能となる。【００３１】  本発明に係る液晶表示装置の経年変化補償方法、液晶表示装置の経年変化補償装置、コンピュータプログラム、及び液晶表示装置にあっては、色輝度成分の変化率と前記液晶表示パネルを透過したバックライト光（透過光）が含む色（複数色に対応する色成分）の輝度（透過光の輝度：透過光輝度）に対する寄与率とから透過光輝度変化率を求め、さらに透過光輝度変化率からバックライト光の目標輝度を求めて、バックライトの駆動を制御するので輝度の経年変化を補償することが可能となる。
【発明の効果】
【００３２】  本発明にあっては、異なる時期に、バックライト光（白色光）の輝度及びバックライト光に含まれる複数色（ＲＧＢ）のうち少なくとも一色の輝度を測定し、異なる時期の輝度測定値から色輝度成分の変化率を求め、色輝度成分の変化率を用いてゲイン値を補正するためのゲイン補正係数を求め、ゲイン値をゲイン補正係数により補正して得られる補正ゲイン値を用いて液晶駆動出力信号を生成するので、バックライト光のＲＧＢの相対比が変動（経年変化）した場合でも、ＲＧＢの相対比を当初のレベルに戻すこと、つまり、ホワイトバランスを戻すことが可能な液晶表示装置の経年変化補償方法、液晶表示装置の経年変化補償装置、コンピュータプログラム、及び液晶表示装置を提供できる。【００３３】  本発明にあっては、色輝度成分の変化率と前記液晶表示パネルを透過したバックライト光が含む色の輝度（透過光輝度）に対する寄与率とから透過光輝度変化率を求め、さらに透過光輝度変化率からバックライト光の目標輝度を求めて、バックライトの駆動を制御するのでバックライトの輝度の経年変化を補償することが可能な液晶表示装置の経年変化補償方法、液晶表示装置の経年変化補償装置、コンピュータプログラム、及び液晶表示装置を提供できる。
【図面の簡単な説明】
【００３４】
【図１】本発明の実施の形態１に係る液晶表示装置での調光方法を説明するための液晶表示装置の概略回路ブロックを示すブロック図である。
【図２】本発明の実施の形態１に係る液晶表示装置での経年変化補償方法の過程を示すフローチャートである。
【図３】本発明の実施の形態２に係る液晶表示装置に用いるものと同様なバックライトでの各色成分の輝度の経年変化を示すグラフである。
【図４】本発明の実施の形態２に係る液晶表示装置での調光方法を説明するための液晶表示装置の概略回路ブロックを示すブロック図である。
【図５】本発明の実施の形態２に係る液晶表示装置での経年変化補償方法の過程を示すフローチャートである。
【図６】従来の液晶表示装置での調光方法を説明するための液晶表示装置の概略回路ブロックを示すブロック図である。
【符号の説明】
【００３５】  １  液晶表示装置
２  液晶表示パネル
３  バックライト
４  マイクロコンピュータ（第１演算手段、第２演算手段）
５  液晶駆動回路（液晶駆動手段）
６  バックライト駆動回路（バックライト駆動手段）
７  輝度センサ
７ｗ  白色輝度センサ
７ｒ  赤色輝度センサ
７ｇ  緑色輝度センサ
７ｂ  青色輝度センサ
ＡＤｗ、ＡＤｒ、ＡＤｇ、ＡＤｂ  検出値
Ｃｃ  ゲイン補正係数
Ｇｃ  補正ゲイン値
Ｇｓ  ゲイン値
バックライト光  Ｌｂ
Ｌｉｍ  表示画像
Ｓｂｃ  調光信号
Ｓｂｄ  バックライト駆動信号
Ｓｐｄ  液晶駆動出力信号
Ｓｉｎ  画像入力信号
【発明を実施するための最良の形態】
【００３６】  以下、本発明をその実施の形態を示す図面に基づいて説明する。【００３７】＜実施の形態１＞
図１は本発明の実施の形態１に係る液晶表示装置での調光方法を説明するための液晶表示装置の概略回路ブロックを示すブロック図である。図において、１は液晶表示装置であり、複数色（通常は３原色としての赤（Ｒ）、緑（Ｇ）、青（Ｂ））それぞれに対応した信号として入力される画像入力信号Ｓｉｎ（Ｒの画像入力信号Ｓｉｒ、Ｇの画像入力信号Ｓｉｇ、Ｂの画像入力信号Ｓｉｂ）に応じた液晶駆動出力信号Ｓｐｄ（Ｒの液晶駆動出力信号Ｓｐｒ、Ｇの液晶駆動出力信号Ｓｐｇ、Ｂの液晶駆動出力信号Ｓｐｂ）により駆動され、所望の表示画像Ｌｉｍを表示する液晶表示パネル２、液晶表示パネル２からの透過光（表示画像Ｌｉｍ）の光源としてのバックライト（背面光源）３、各種の制御（演算・駆動・処理など）を行うためのマイクロコンピュータ４、液晶駆動回路５、バックライト駆動回路６、輝度センサ（白色輝度センサ７ｗ、及び複数色（Ｒ、Ｇ、Ｂ）それぞれに対応する赤色輝度センサ７ｒ、緑色輝度センサ７ｇ、及び青色輝度センサ７ｂ。これらをまとめて輝度センサ７と記載することがある。）により構成される。白色輝度センサ７ｗはバックライト光輝度センサともいえる。簡単のために白色輝度センサ７ｗとして説明するが、白色に限るものではなく、多少の変色は当然含むものである。バックライト３は、一般的には冷熱陰極管が用いられ、いわゆる白色光（バックライト光）を放射する。冷熱陰極管は、所定の初期時間を経過した後は、時間（年）と共に輝度が低下する特性を有する。【００３８】  マイクロコンピュータ４は、それ自体は公知であり、各種の演算、駆動などの処理、制御を行う中央処理装置（ＣＰＵ）及びバスを介してＣＰＵに接続され、動作プログラムを記憶するＲＯＭ、動作中のデータを一時的に記憶するＲＡＭ、定数など所定の数値を記憶する不揮発性のメモリなどを構成に含む。後述する本発明に係るコンピュータプログラムをＲＯＭに記憶しておき、各種の演算をＣＰＵにより実行することができる。つまり、マイクロコンピュータ４は、本発明での演算、各種信号生成などの機能実現手段（演算手段、演算結果を記憶する記憶手段、演算結果に基づく制御信号を生成する制御信号生成手段など）となる。また、コンピュータプログラムはＣＤ−ＲＯＭなどの外部記憶装置（不図示）から書き込むことも可能である。【００３９】  液晶表示装置１のカラー表示は、液晶表示パネル２の各ドットに対応させてＲ、Ｇ、Ｂで構成されるカラーフィルタ（不図示）を設け、液晶表示パネル２のシャッタ機能によりバックライト３からの光（バックライト光）の透過率を階調的に制御し、シャッタ機能により変調されたバックライト３からの光がカラーフィルタを通過することにより表示画像Ｌｉｍとして視認できるようにして実現している。【００４０】  液晶表示装置１のバックライト３の調光（発光量（輝度）の調整）は、次のようにしてなされる。つまり、バックライト３から放射されるバックライト光Ｌｂを測定できる位置に白色輝度センサ７ｗを設け、白色輝度センサ７ｗの検出値ＡＤｗをマイクロコンピュータ４へ入力する。白色輝度センサ７ｗはアナログ量であるバックライト光Ｌｂ（発光量（輝度））を光電変換してアナログ値の電気信号に変換し、さらにＡＤ変換してデジタル値としての検出値ＡＤｗをマイクロコンピュータ４に入力している。なお、検出値ＡＤｗをアナログ値のままでマイクロコンピュータ４へ入力し、マイクロコンピュータ４の内部でＡＤ変換するようにすることも可能である。また、測定する発光量は絶対値である必要はなく、適宜設定した任意の基準値（例えば工場調整時に外部センサで測定した所定の色温度での所定の輝度）などに対する相対値として測定できれば良い。【００４１】  マイクロコンピュータ４は検出値ＡＤｗに基づいてバックライト３を制御するための調光信号Ｓｂｃをバックライト駆動回路６へ出力する。バックライト駆動回路６は、例えばインバータ回路で構成されており、調光信号Ｓｂｃに応じたバックライト駆動信号Ｓｂｄをバックライト３へ供給してバックライト３の発光量（輝度）を広い範囲で制御することができる。なお、バックライト３の発光量の制御では、白色輝度センサ７ｗ以外の赤色輝度センサ７ｒ、緑色輝度センサ７ｇ、青色輝度センサ７ｂからの検出値ＡＤｒ、ＡＤｇ、ＡＤｂを適宜用いても良いことは言うまでもない。【００４２】  液晶表示装置１の色調整（カラー調整）は、原則的（例えば、経年変化の補償をする前）には次のようにしてなされる。つまり、液晶表示装置１の使用者（あるいは製造工場の調整工程での調整者）が、オン・スクリーン・ディスプレイ（ＯＳＤ）などを利用してＲＧＢそれぞれについてゲイン値Ｇｓ（Ｒに対するゲイン値Ｇｓｒ、Ｇに対するゲイン値Ｇｓｇ、Ｂに対するゲイン値Ｇｓｂ）を調整（設定）する。この調整結果（設定）に基づいてマイクロコンピュータ４は、ゲイン値Ｇｓ（Ｇｓｒ、Ｇｓｇ、Ｇｓｂ）を出力する。なお、ゲイン値Ｇｓとは、液晶表示装置１に入力される画像入力信号Ｓｉｎを液晶駆動出力信号Ｓｐｄに変換するときに複数色それぞれに対応する表示特性（ガンマ特性などの輝度特性）を補正するために画像入力信号に対する階調変換と併せて演算（例えば乗算）される値である。【００４３】  また、実施の形態１では、設定されたゲイン値Ｇｓを補正するための係数であるゲイン補正係数Ｃｃ（Ｒに対するゲイン補正係数Ｃｒ、Ｇに対するゲイン補正係数Ｃｇ、Ｂに対するゲイン補正係数Ｃｂ）をマイクロコンピュータ４により生成する。ゲイン値Ｇｓ（Ｇｓｒ、Ｇｓｇ、Ｇｓｂ）に対してゲイン補正係数Ｃｃ（Ｃｒ、Ｃｇ、Ｃｂ）を乗算することにより補正ゲイン値Ｇｃ（Ｒに対する補正ゲイン値Ｇｃｒ、Ｇに対する補正ゲイン値Ｇｃｇ、Ｂに対する補正ゲイン値Ｇｃｂ）を求め、補正ゲイン値Ｇｃを液晶駆動回路５へ入力する。なお、この際の乗算は専用の乗算器を用いても良いがプログラムによる演算が容易に可能である。また、乗算は、マイクロコンピュータ４、液晶駆動回路５のいずれかにおいて行うように構成することも可能である。【００４４】  液晶駆動回路５はゲイン補正係数Ｃｃによりゲイン値Ｇｓを補正して得られた補正ゲイン値Ｇｃに基づいて画像入力信号Ｓｉｎを液晶駆動出力信号Ｓｐｄに変換して出力することにより液晶表示パネル２を駆動する。補正ゲイン値Ｇｃに基づいて変換された液晶駆動出力信号Ｓｐｄ（Ｒに対する液晶駆動出力信号Ｓｐｒ、Ｇに対する液晶駆動出力信号Ｓｐｇ、Ｂに対する液晶駆動���力信号Ｓｐｂ）により液晶表示パネル２でのバックライト３からの光の透過率をＲＧＢそれぞれについて制御することにより、カラー調整（輝度調整）された表示画像Ｌｉｍを表示することができる。【００４５】  実施の形態１では、輝度センサ７として、白色輝度センサ７ｗ（図６で示した従来の液晶表示装置での輝度センサ５７に対応）に加え、色輝度センサ（赤色輝度センサ７ｒ、緑色輝度センサ７ｇ、青色輝度センサ７ｂ）を追加している。白色輝度センサ７ｗはバックライト３が発生するバックライト光の輝度を検出する。色輝度センサ（７ｒ、７ｇ、７ｂ）はバックライト光Ｌｂが含む所定の色（画像入力信号Ｓｉｎが含む複数色、つまりＲ、Ｇ、Ｂ）を検出する。色（可視光）の検出は単純には定義できないが、例えば白色輝度センサ７ｗと同様な構成の輝度センサに所定の波長帯域を有する適宜のカラーフィルタを組み合わせることにより構成した色輝度センサとすることで検出することが可能である。【００４６】  つまり、画像入力信号ＳｉｎがＲＧＢの３原色に対して構成される場合には、ＲＧＢに対応する色輝度センサを設ける。ここでは、画像入力信号ＳｉｎがＲＧＢ３原色に対して構成される場合を示し、赤色輝度センサ７ｒはバックライト光Ｌｂのうちから赤色成分を抽出して赤色の輝度を、緑色輝度センサ７ｇはバックライト光Ｌｂのうちから緑色成分を抽出して緑色の輝度を、青色輝度センサ７ｂはバックライト光Ｌｂのうちから青色成分を抽出して青色の輝度をそれぞれ検出する構成としてある。なお、バックライト光Ｌｂの輝度の白色輝度センサ７ｗによる検出値をＡＤｗ、バックライト光Ｌｂに含まれるＲ（赤色成分）の光の輝度の赤色輝度センサ７ｒによる検出値をＡＤｒ、バックライト光Ｌｂに含まれるＧ（緑色成分）の光の輝度の緑色輝度センサ７ｇによる検出値をＡＤｇ、バックライト光Ｌｂに含まれるＢ（青色成分）の光の輝度の青色輝度センサ７ｂによる検出値をＡＤｂとする。【００４７】  図２は本発明の実施の形態１に係る液晶表示装置での経年変化補償方法の過程を示すフローチャートである。なお、液晶表示装置は図１に記載したものであるので、図１に示した名称と符号を用いて説明する。この経年変化補償方法を実行するコンピュータプログラムはＯＳＤ形式により、所定のウインドウを画面表示させて、必要なデータ（指示）を調整者、使用者が入力できるようにしておく。なお、基本的にはこのコンピュータプログラムを起動する指示を最初に与えれば後はコンピュータプログラムに従って経年変化補償方法を実行する形態にしておく。【００４８】  ステップ１（Ｓ１）：第１の時期（例えば工場での調整段階として説明するが、これに限らないことはいうまでもない）に、白色輝度センサ７ｗ、赤色輝度センサ７ｒ、緑色輝度センサ７ｇ、及び青色輝度センサ７ｂを用いて白色光（バックライト光Ｌｂ）の輝度及び複数色の輝度を測定する。測定の結果、つまり得られた検出値はマイクロコンピュータ４へ入力され、データとして記憶され適宜演算処理される。第１の時期の測定値であることを表すために各検出値に添字のｆを付して、白色輝度センサ７ｗの検出値をＡＤｗｆ、赤色輝度センサの検出値をＡＤｒｆ、緑色輝度センサの検出値をＡＤｇ��、青色輝度センサの検出値をＡＤｂｆとする。【００４９】  ステップ２（Ｓ２）：Ｓ１で求めた白色光の輝度及び複数色の輝度を用いて、白色光の輝度に対する複数色それぞれの輝度の比を第１色輝度成分比として求める。すなわち、輝度は検出値で代用されるから、第１色輝度成分比Ａｆ（添字のｆは第１の時期での値であることを示す。）を次の式により求める。つまり、Ｒについての第１色輝度成分比Ａｆは、第１赤色輝度成分比Ａｆｒ＝ＡＤｒｆ／ＡＤｗｆとして、Ｇについての第１色輝度成分比Ａｆは、第１緑色輝度成分比Ａｆｇ＝ＡＤｇｆ／ＡＤｗｆとして、Ｂについての第１色輝度成分比Ａｆは、第１青色輝度成分比Ａｆｂ＝ＡＤｂｆ／ＡＤｗｆとして、それぞれ求める。なお、この演算は第１演算手段としてのマイクロコンピュータ４により適宜行われる。【００５０】  ステップ３（Ｓ３）：第１の時期より後の第２の時期（例えば使用者が購入してから半年経過の時期など第１の時期と異なる時期であればどのような時期でも良い。）に、白色輝度センサ７ｗ、赤色輝度センサ７ｒ、緑色輝度センサ７ｇ、及び青色輝度センサ７ｂを用いて白色光の輝度及び複数色の輝度を測定する。測定の結果、つまり得られた検出値はマイクロコンピュータ４へ入力され、データとして記憶され適宜演算処理される。第２の時期の測定値であることを表すために各検出値に添字のｓを付して、白色輝度センサ７ｗの検出値をＡＤｗｓ、赤色輝度センサの検出値をＡＤｒｓ、緑色輝度センサの検出値をＡＤｇｓ、青色成分輝度センサの検出値をＡＤｂｓとする。【００５１】  ステップ４（Ｓ４）：Ｓ３で求めた白色光の輝度及び複数色の輝度を用いて、白色光の輝度に対する複数色それぞれの輝度の比を第２色輝度成分比として求める。すなわち、輝度は検出値で代用されるから、第２色輝度成分比Ａｓ（添字のｓは第２の時期での値であることを示す。）を次の式により求める。つまり、Ｒについての第２色輝度成分比Ａｓは、第２赤色輝度成分比Ａｓｒ＝ＡＤｒｓ／ＡＤｗｓとして、Ｇについての第２色輝度成分比Ａｓは、第２緑色輝度成分比Ａｓｇ＝ＡＤｇｓ／ＡＤｗｓとして、Ｂについての第２色輝度成分比Ａｓは、第２青色輝度成分比Ａｓｂ＝ＡＤｂｓ／ＡＤｗｓとして、それぞれ求める。なお、この演算は第１演算手段としてのマイクロコンピュータ４により適宜行われる。【００５２】  ステップ５（Ｓ５）：第１色輝度成分比Ａｆと第２色輝度成分比Ａｓとの差から第１の時期と第２の時期との間での色輝度成分比の変化状況（通常は低下状況）、すなわち、色輝度成分の変化率を求める。第１色輝度成分比Ａｆ及び第２色輝度成分比Ａｓを用いて色輝度成分の変化率Ｘを次の式により求める。Ｒについての色輝度成分の変化率Ｘは、赤色輝度成分の変化率Ｘｒ＝（Ａｆｒ−Ａｓｒ）／Ａｆｒとして、Ｇについての色輝度成分の変化率Ｘは、緑色輝度成分の変化率Ｘｇ＝（Ａｆｇ−Ａｓｇ）／Ａｆｇとして、Ｂについての色輝度成分の変化率Ｘは、青色輝度成分の変化率Ｘｂ＝（Ａｆｂ−Ａｓｂ）／Ａｆｂとして、それぞれ求める。第１色輝度成分比Ａｆと第２色輝度成分比Ａｓとの差を第１色輝度成分比Ａｆにより除算することから、極めて正確に色輝度成分の変化率を求めることができる。なお、この演算は第１演算手段としてのマイクロコンピュータ４により適宜行われる。【００５３】  Ｓ５で、色輝度成分比の変化（色輝度成分の変化率）がわかるので、第１の時期以降第２の時期までの間での液晶表示装置の経年変化を知ることができる。したがって、経年変化に応じて液晶駆動回路５及びバックライト駆動回路６の調整を容易に行うことができる。ステップ６以降で調整過程の例を示す。【００５４】  ステップ６（Ｓ６）：色輝度成分の変化率を用いて、ゲイン値を補正するために必要なゲイン補正係数を求める。すなわち、色輝度成分の変化率Ｘ（Ｒ、Ｇ、Ｂそれぞれの色輝度成分の変化率Ｘｒ、Ｘｇ、Ｘｂ）を用いて、ゲイン値Ｇｓ（Ｒ、Ｇ、Ｂそれぞれのゲイン値Ｇｓｒ、Ｇｓｇ、Ｇｓｂ）を補正するためのゲイン補正係数Ｃｃｎ（Ｒのゲイン補正係数Ｃｒ、Ｇのゲイン補正係数Ｃｇ、Ｂのゲイン補正係数Ｃｂ）を次の式により求める。なお、具体的な数値としては補正値分解能が１０ビット（１０２４階調：０階調〜１０２３階調）の場合を示す。つまり、Ｒのゲイン補正係数Ｃｒは、Ｃｒ＝（１−Ｘｒ）×１０２３として、Ｇのゲイン補正係数Ｃｇは、Ｃｇ＝（１−Ｘｇ）×１０２３として、Ｂのゲイン補正係数Ｃｂは、Ｃｂ＝（１−Ｘｂ）×１０２３として、それぞれ求める。なお、この演算は第１演算手段としてのマイクロコンピュータ４により適宜行われる。また、ゲイン補正係数Ｃｃｎは、次の時期の補償プログラムが実行されるまで、定数としてマイクロコンピュータ４の中の記憶部に適宜記憶される。従って、マイクロコンピュータ４はゲイン補正係数設定手段ともなる。【００５５】  ステップ７（Ｓ７）：ゲイン補正係数によりゲイン値を補正して得られる補正ゲイン値を用いて液晶駆動信号を生成する。つまり、ＲＧＢそれぞれについて、ゲイン値Ｇｓ（Ｇｓｒ、Ｇｓｇ、Ｇｓｂ）にゲイン補正係数Ｃｃｎ（Ｃｒ、Ｃｇ、Ｃｂ）を乗算して求めた補正ゲイン値Ｇｃ（Ｒに対する補正ゲイン値Ｇｃｒ＝Ｇｓｒ×Ｃｒ、Ｇに対する補正ゲイン値Ｇｃｇ＝Ｇｓｇ×Ｃｇ、Ｂに対する補正ゲイン値Ｇｃｂ＝Ｇｓｂ×Ｃｂ）を用いて生成した液晶駆動出力信号Ｓｐｄ（Ｓｐｒ、Ｓｐｇ、Ｓｐｂ）により液晶表示パネル２を駆動する。ゲイン値Ｇｓをゲイン補正係数Ｃｃｎにより補正するのでＲＧＢそれぞれの色輝度の変動を補償できる。乗算という簡単な演算処理を行うことにより、補正ゲイン値Ｇｃを求めるので、制御を正確に行うことができる。乗算をマイクロコンピュータ４により行わせる場合には、マイクロコンピュータ４は乗算手段ともなる。【００５６】  また、ゲイン値Ｇｓにゲイン補正係数Ｃｃｎを乗算して得た補正ゲイン値Ｃｃｎはゲイン値Ｇｓよりレベルが低下するので、液晶駆動手段としての液晶駆動回路５へ入力されるゲイン値（補正ゲイン値Ｃｃｎ）のレベルは補正前に比較して低下することになるが、ＲＧＢ間の輝度の相対値（相対比）、つまりホワイトバランスを当初（例えば、第１の時期）の状態に戻すことが可能になる。なお、液晶駆動回路５へ入力される補正ゲイン値Ｃｃｎのレベルが低下するので、それに伴い液晶駆動回路５から出力される液晶駆動信号Ｓｐｄのレベルも低下し、結果として液晶表示パネル２を透過したバックライト光（透過光）の輝度（透過光輝度���も低下するが、輝度の調整はホワイトバランスの調整に比較して、簡単に行うことが可能であり、結果として、表示状態（ホワイトバランスと輝度）を当初の状態に戻すことが容易に可能となる。【００５７】  ステップ８（Ｓ８）：ゲイン値Ｇｓの補正に伴う、透過光輝度の低下を補償するために透過光輝度変化率を求める。つまり、色輝度成分の変化率Ｘを用いて透過光の輝度変化を透過光輝度変化率ｄＹｗとして算出する。液晶表示パネル２を透過したバックライト光（透過光）が含むＲＧＢ各色（の色輝度成分の変化率Ｘ（赤色輝度成分の変化率Ｘｒ、緑色輝度成分の変化率Ｘｇ、青色輝度成分の変化率Ｘｂ））の透過光輝度（輝度）への寄与率Ｋ（Ｒの寄与率Ｋｒ、Ｇの寄与率Ｋｇ、Ｂの寄与率Ｋｂ）を色輝度成分の変化率Ｘ（Ｘｒ、Ｘｇ、Ｘｂ）にそれぞれ乗じて、各色輝度変化率ｄＹ（Ｒの色輝度変化率、つまり赤色輝度変化率ｄＹｒ＝Ｘｒ×Ｋｒ、Ｇの色輝度変化率、つまり緑色輝度変化率ｄＹｇ＝Ｘｇ×Ｋｇ、Ｂの色輝度変化率、つまり青色輝度変化率ｄＹｂ＝Ｘｂ×Ｋｂ）を求め、各色輝度変化率ｄＹ（ｄＹｒ、ｄＹｇ、ｄＹｂ）を加算することにより、透過光輝度変化率ｄＹｗ（ｄＹｗ＝ｄＹ＝ｄＹｒ＋ｄＹｇ＋ｄＹｂ）を算出する。なお、ＲＧＢ各色は色の３原色でもあることから色成分とも言われる。つまり、寄与率Ｋは、液晶表示パネル２を透過したバックライト光（つまり、透過光）が含む色成分の透過光輝度への寄与率でもある。【００５８】  寄与率は予め寿命試験などにより実験的に求めてある数値を用いる。この数値は外部から設定可能としておくことにより、バックライト３の特性仕様が変更された場合にも適用が可能となる。また、マイクロコンピュータ４に予め記憶させておいても良いし、経年変化補償方法を実行するコンピュータプログラムを起動したときに、入力する形態にしても良い。なお、透過光輝度変化率を求める演算は第２演算手段としてのマイクロコンピュータ４により適宜行われる。第１演算手段、第２演算手段は便宜上第１、第２としているが実質的にはマイクロコンピュータ４での同一の機能を用いて演算を行う。【００５９】  ステップ９（Ｓ９）：透過光輝度変化率から目標輝度を求める。つまり、第２の時期に測定した白色輝度（バックライト光輝度）Ｚｍ（Ｚｍは白色輝度センサ７ｗの検出値ＡＤｗｓに対応する輝度）と透過光輝度変化率ｄＹｗを用いて、目標輝度Ｚを、Ｚ＝Ｚｍ＋Ｚｍ×ｄＹｗとして求める。なお、この演算は第２演算手段としてのマイクロコンピュータ４により適宜行われる。【００６０】  ステップ１０（Ｓ１０）：目標輝度となるようにバックライト駆動信号を制御する。つまり、マイクロコンピュータ４は白色輝度（バックライト光輝度）が目標輝度Ｚとなるように調光信号Ｓｂｃを調整し、バックライト駆動手段となるバックライト駆動回路６は調光信号Ｓｂｃに応じてバックライト駆動信号Ｓｂｄを制御する。この制御によりゲイン値Ｇｓの補正に伴う透過光輝度の低下を補償することができる。【００６１】  なお、上述した例では、白色光（バックライト光）の輝度に対する各色の輝度の比である第１色輝度成分比Ａｆ及び第２色輝度成分比Ａｓから、色輝度成分の変化率を求めるようにしたが、これとは異なり、赤色輝���センサ、緑色輝度センサ、青色輝度センサの各検出値を用いて、以下のようにして色輝度成分の変化率を求めてもよい。【００６２】  予め、工場での製造工程時において、白色輝度センサ７ｗの検出値ＡＤｗが所定値ＡＤｗ１になるように輝度調整を行い、そのときの赤色輝度センサ７ｒの検出値ＡＤｒ１、緑色輝度センサ７ｇの検出値ＡＤｇ１、青色輝度センサ７ｂの検出値ＡＤｂ１をそれぞれ、各色輝度センサの基準検出値として、マイクロコンピュータ４内のメモリ（図示せず）に記憶しておく。このようにしてバックライト３初期状態での各色輝度センサの検出値を取得しておく。【００６３】  使用者が実際に液晶表示装置１を使用して表示特性を補償しようとする際に、以下のような処理が行われる。白色輝度センサ７ｗの検出値ＡＤｗが所定値ＡＤｗ１になるように輝度調整を行い、そのときの赤色輝度センサ７ｒの検出値ＡＤｒ２、緑色輝度センサ７ｇの検出値ＡＤｇ２、青色輝度センサ７ｂの検出値ＡＤｂ２を取得する。取得されたこのような各色輝度センサの検出値とマイクロコンピュータ４内のメモリに記憶されている製造時（初期状態）の各色輝度センサの検出値とから、色輝度成分の変化率Ｘを次の式により算出する。赤色についての色輝度成分の変化率ＸＲは、ＸＲ＝（ＡＤｒ１−ＡＤｒ２）／ＡＤｒ１として算出され、緑色についての色輝度成分の変化率ＸＧは、ＸＧ＝（ＡＤｇ１−ＡＤｇ２）／ＡＤｇ１として算出され、青色についての色輝度成分の変化率ＸＢは、ＸＢ＝（ＡＤｂ１−ＡＤｂ２）／ＡＤｂ１として算出される。【００６４】  このようにして算出された色輝度成分の変化率（ＸＲ、ＸＧ、ＸＢ）を用いてゲイン値を補正するために必要なゲイン補正係数を求め、求めたゲイン補正係数によりゲイン値を補正して得られる補正ゲイン値を用いて液晶駆動信号を生成する。なお、この場合の処理は前述した例と同様であるのでその説明は省略する。【００６５】  また、上述した例では、色輝度成分の変化率に、液晶表示パネル２を透過したバックライト光が含む色の輝度への寄与率を乗じて透過光輝度変化率を求めるようにしたが、これは一例であり、色輝度成分の変化率及び輝度への寄与率を用いる場合には、他の演算手法によって透過光輝度変化率を求めるようにしてもよい。【００６６】＜実施の形態２＞
図３は本発明の実施の形態２に係る液晶表示装置に用いるものと同様なバックライトでの各色成分の輝度の経年変化を示すグラフである。グラフにおいて横軸は時間を、縦軸は初期の輝度を１００％とした相対輝度を示す。符号Ｒを付した特性曲線は、バックライト３（図４参照）の赤色成分の輝度（Ｒ輝度）を示し、符号Ｇを付した特性曲線は、同じく緑色成分の輝度（Ｇ輝度）を示し、符号Ｂを付した特性曲線は同じく青色成分の輝度（Ｂ輝度）を示す。輝度の変化（低下）は、例えば時間８００時間程度までは変化はわずかであるが、１０００時間を超えた辺りから急激に低下し、１００００時間では、Ｒ輝度は当初の約５０％、Ｇ輝度は当初の約７０％、Ｂ輝度は当初の約３０％程度まで低下している。つまり、大きな経年変化を示している。また、バックライト３からの紫外線による構成部品（導光板、偏光板）の黄化現象、冷陰極線管自体の劣化現象からＢ輝度の低下がもっとも大きいことがわかる。【００６７】  本発明者は、この輝度変化の度合いはＲＧＢの間で一定の比率を保持していることを確認した。つまり、例えばＲＧＢすべての輝度の変化を測定しなくても、選択した１つの色の輝度を測定すれば、他の色については割合（相対比）を用いて輝度変化（輝度低下）の状況を把握（算出）することができる。実施の形態２は、このようなバックライト３の特性（例えば、冷陰極線管の経年変化特性）を用いるものである。バックライト３としては、ＲＧＢ間で一定の関係をもつものであれば、冷陰極線管に限らないことはいうまでもない。【００６８】  図４は本発明の実施の形態２に係る液晶表示装置での調光方法を説明するための液晶表示装置の概略回路ブロックを示すブロック図である。実施の形態１と基本構成は同一であり、同一部分には同一符号を付して詳細な説明は省略する。実施の形態１と異なる点は、輝度センサとして、白色輝度センサ７ｗの他に色輝度センサとして青色輝度センサ７ｂのみを用いている点である。青色センサ７ｂの代わりに、他の色輝度センサ（例えば、赤色輝度センサ７ｒ、又は緑色輝度センサ７ｇ）を選定しても良いことは言うまでもない。色輝度センサを一つにすることにより、構造が簡単になり実装工程を簡略化できるので、コストダウンが図れる。Ｂ以外の色ＲＧについては、適宜演算処理をして輝度その他必要な値を算出すればよい。【００６９】  図５は本発明の実施の形態２に係る液晶表示装置での経年変化補償方法の過程を示すフローチャートである。なお、液晶表示装置は図４に記載したものであるので、図４に示した名称と符号を用いて説明する。実施の形態１と基本フローは同一であり、同一部分については適宜説明を省略する。【００７０】  ステップ２１（Ｓ２１）：第１の時期に、白色光の輝度および特定色の輝度を測定する。基本的にはステップ１と同様である。異なる点は白色光の輝度の他には、選定した一色（特定色。例えば、青色（Ｂ）である。）のみの輝度を測定する点である。ステップ１と同様に、白色輝度センサ７ｗの検出値をＡＤｗｆ、青色成分輝度センサの検出値をＡＤｂｆとする。なお、経年変化の最も大きいＢを特定色とすることで、特性基準が明確になり、演算処理などが簡略化でき、演算誤差を低減できる。【���０７１】  ステップ２２（Ｓ２２）：Ｓ２１で求めた白色光の輝度及び特定色の輝度を用いて、白色光の輝度に対する特定色の輝度の比を第１色輝度成分比として求める。ステップ２と同様に、Ｂについての第１色輝度成分比Ａｆは、第１青色輝度成分比Ａｆｂ＝ＡＤｂｆ／ＡＤｗｆとして求める。【００７２】  ステップ２３（Ｓ２３）：第１の時期より後の第２の時期に、白色光の輝度および特定色の輝度を測定する。基本的にはステップ２１と同様である。ステップ３と同様に、白色輝度センサ７ｗの検出値をＡＤｗｓ、青色成分輝度センサの検出値をＡＤｂｓとする。【００７３】  ステップ２４（Ｓ２４）：Ｓ２３で求めた白色光の輝度及び特定色の輝度を用いて、白色光の輝度に対する特定色の輝度の比を第２色輝度成分比として求める。ステップ４と同様に、Ｂについての第２色輝度成分比Ａｓは、第２青色輝度成分比Ａｓｂ＝ＡＤｂｓ／ＡＤｗｓとして求める。【００７４】  ステップ２５（Ｓ２５）：特定色について、第１色輝度成分比Ａｆと第２色輝度成分比Ａｓとの差から第１の時期と第２の時期との間での色輝度成分比の変化状況（通常は低下状況）、すなわち、特定色について、特定色輝度成分の変化率（一色輝度成分の変化率。青色輝度成分の変化率）を求める。ステップ５と同様に、Ｂについての一色輝度成分の変化率Ｘは、青色輝度成分の変化率Ｘｂ＝（Ａｆｂ−Ａｓｂ）／Ａｆｂとして求める。【００７５】  ステップ２６（Ｓ２６）：特定色以外の色（赤色（Ｒ）、緑色（Ｇ））の色輝度成分の変化率（赤色輝度成分の変化率Ｘｒ、緑色輝度成分の変化率Ｘｇ）を求める。青色輝度成分の変化率Ｘｂに対する、赤色輝度成分の変化率Ｘｒの割合をＱｒ、緑色輝度成分の変化率Ｘｇの割合をＱｇとすれば、赤色輝度成分の変化率ＸｒはＸｒ＝Ｘｂ×Ｑｒ、緑色輝度成分の変化率ＸｇはＸｇ＝Ｘｂ×Ｑｇとして求まる。なお、割合Ｑｒ、Ｑｇは、予め寿命試験などを適用して測定しておくことが可能であり、本発明者による寿命試験では、Ｑｒは例えば０．７６であり、Ｑｇは例えば０．５６であった。つまり、Ｘｒ＝０．７６Ｘｂ、Ｘｇ＝０．５６Ｘｂであった。割合Ｑを用いることで、特定色の輝度変化を測定するだけで特定色以外の色の色輝度成分の変化率を求めることができる。【００７６】  ステップ２７（Ｓ２７）：特定色以外の色（ＲＧ）のゲイン補正係数を求める。ゲイン補正係数Ｃｃｎ（Ｒのゲイン補正係数Ｃｒ、Ｇのゲイン補正係数Ｃｇ）を次の式により求める。なお、具体的な数値としては補正値分解能が１０ビット（１０２４階調：０階調〜１０２３階調）の場合を示す。つまり、ステップ６と同様に、Ｒのゲイン補正係数Ｃｒは、Ｃｒ＝（１−Ｘｒ）×１０２３として、Ｇのゲイン補正係数Ｃｇは、Ｃｇ＝（１−Ｘｇ）×１０２３として、それぞれ求める。【００７７】  ステップ２８（Ｓ２８）：ゲイン補正係数によりゲイン値を補正して得られる補正ゲイン値を用いて液晶駆動信号を生成する。つまり、ステップ７と同様に、ＲＧそれぞれについて、ゲイン値Ｇｓ（Ｇｓｒ、Ｇｓｇ）にゲイン補正係数Ｃｃｎ（Ｃｒ、Ｃｇ）を乗算して求めた補正ゲイン値Ｇｃ（Ｒに対する補正ゲイン値Ｇｃｒ＝Ｇｓｒ×Ｃｒ、Ｇに対する補正ゲイン値Ｇｃｇ＝Ｇｓｇ×Ｃｇ）を用いて生成��た液晶駆動出力信号Ｓｐｄ（Ｓｐｒ、Ｓｐｇ、Ｓｐｂ）により液晶表示パネル２を駆動する。ゲイン値Ｇｓをゲイン補正係数Ｃｃｎにより補正するのでＲＧそれぞれの色輝度の変動を補償できる。つまり、ゲイン値Ｇｓにゲイン補正係数Ｃｃｎを乗算して得た補正ゲイン値Ｃｃｎはゲイン値Ｇｓよりレベルが低下するので、液晶駆動手段としての液晶駆動回路５へ入力されるゲイン値（補正ゲイン値Ｃｃｎ）のレベルは補正前に比較して低下することになるが、ＲＧＢ間の輝度の相対値（相対比）、つまりホワイトバランスが当初（例えば、第１の時期）の状態に戻ることになる。液晶駆動回路５へ入力される補正ゲイン値Ｃｃｎのレベルが低下するので、それに伴い液晶駆動回路５から出力される液晶駆動信号Ｓｐｄのレベルも低下し、結果として液晶表示パネル２を透過して得られる透過光の輝度も低下することになる。【００７８】  ステップ２９（Ｓ２９）：ゲイン値Ｇｓの補正に伴う、透過光の輝度の低下を補償するために透過光輝度変化率を求める。つまり、基本的には、ステップ８と同様である。ここでは、特定色であるＢ以外のＲＧについて、ＲＧ各色（の色輝度成分の変化率Ｘ（赤色輝度成分の変化率Ｘｒ、緑色輝度成分の変化率Ｘｇ））の透過光輝度への寄与率Ｋ（Ｒの寄与率Ｋｒ、Ｇの寄与率Ｋｇ）を色輝度成分の変化率Ｘ（Ｘｒ、Ｘｇ）にそれぞれ乗じて、ＲＧ各色輝度変化率ｄＹ（Ｒの色輝度変化率、つまり赤色輝度変化率ｄＹｒ＝Ｘｒ×Ｋｒ、Ｇの色輝度変化率、つまり緑色輝度変化率ｄＹｇ＝Ｘｇ×Ｋｇ）を求め、ＲＧ各色輝度変化率ｄＹ（ｄＹｒ、ｄＹｇ）を加算することにより、透過光輝度変化率ｄＹｗ（ｄＹｗ＝ｄＹｒ＋ｄＹｇ）を算出する。【００７９】  ステップ３０（Ｓ３０）：透過光輝度変化率から目標輝度を求める。つまり、基本的には、ステップ９と同様であり、目標輝度Ｚを、Ｚ＝Ｚｍ＋Ｚｍ×ｄＹｗとして求める。【００８０】  ステップ３１（Ｓ３１）：目標輝度となるようにバックライト駆動信号を制御する。つまり、基本的には、ステップ１０と同様である。【００８１】  なお、実施の形態２において、色輝度成分の変化率を求める手法、及び／または、透過光輝度変化率を求める手法が、上述した例に限定されないことは、実施の形態１と同様である。
【図１】
0003974629.tif 000002
【図２】
0003974629.tif 000003
【図３】
0003974629.tif 000004
【図４】
0003974629.tif 000005
【図５】
0003974629.tif 000006
【図６】
0003974629.tif 000007